(57)【要約】  本発明は、顕微鏡（１）、特に光シート顕微鏡（２）または共焦点顕微鏡（３）、および顕微鏡（１）、特に光シート顕微鏡（２）または共焦点顕微鏡（３）のための光学的レトロフィットキット（１５０）に関する。この場合、照射光学系（５）が設けられており、これは少なくとも１つの光源（１１）からの少なくとも２つの波長（２７ａ，２７ｂ）の光を、それぞれ波長に依存するビーム路（２３ａ，２３ｂ）に沿って、照射光学系（５）の照射側（２９）から照射光学系（５）の試料側（８３）へ伝達する。従来技術による顕微鏡（１）は、縦色収差（３７ａ）および／または横色収差（３７ｂ）を有し、これによって顕微鏡（１）の結像品質が低下する。本発明による顕微鏡（１）もしくは光学的レトロフィットキット（１５０）は、この問題点を以下のことにより解決する。すなわち、顕微鏡（１）もしくは光学的レトロフィットキット（１５０）は、少なくとも１つの光学的横色収差補正素子（６７）を備えた横色収差補正装置（６５）を有し、横色収差補正素子（６７）の試料側出口（８４）において、それぞれ異なる少なくとも２つの波長（２７ａ，２７ｂ）のビーム路（２３ａ，２３ｂ）が、互いに平行なオフセット（４３）を有し、かつ／または照射側（２９）に対し互いに傾斜を有し、結果として照射光学系（５）の試料側（８３）において、照射光学系（５）の光軸（４１）を横断する方向で少なくとも２つの波長（２７ａ，２７ｂ）の焦点（３１ａ，３１ｂ）のオフセット（４３）が生じる。
2019523456.tif 000002
【特許請求の範囲】
【請求項１】
照射光学系（５）を備えた顕微鏡（１）、特に光シート顕微鏡（２）または共焦点顕微鏡（３）であって、
前記照射光学系（５）は、少なくとも１つの光源（１１）からの少なくとも２つの波長（２７ａ，２７ｂ）の光を、それぞれ波長に依存するビーム路（２３ａ，２３ｂ）に沿って、前記照射光学系（５）の照射側（２９）から前記照射光学系（５）の試料側（８３）へ伝達する顕微鏡において、
前記顕微鏡（１）は、少なくとも１つの光学的横色収差補正素子（６７）を備えた横色収差補正装置（６５）を有し、
前記横色収差補正素子（６７）の試料側出口（８４）において、それぞれ異なる前記少なくとも２つの波長（２７ａ，２７ｂ）の前記ビーム路（２３ａ，２３ｂ）は、互いに平行なオフセット（８５）を有し、かつ／または、前記照射側（２９）に対し互いに傾斜を有し、結果として前記照射光学系（５）の前記試料側（８３）において、前記照射光学系（５）の光軸（４１）を横断する方向で前記少なくとも２つの波長（２７ａ，２７ｂ）の焦点（３１ａ，３１ｂ）のオフセット（４３）が生じる、
ことを特徴とする顕微鏡（１）。
【請求項２】
前記照射光学系（５）の前記試料側（８３）において前記横色収差補正素子（６７）により引き起こされる、前記照射光学系（５）の前記光軸（４１）を横断する方向における前記少なくとも２つの波長（２７ａ，２７ｂ）の前記焦点（３１ａ，３１ｂ）の前記オフセット（４３）は、実質的に前記照射光学系（５）により引き起こされる、前記照射光学系（５）の前記光軸（４１）を横断する方向における前記焦点（３１ａ，３１ｂ）相互間のオフセット（４３）とは逆方向である、
請求項１記載の顕微鏡（１）。
【請求項３】
少なくとも２つの光学的横色収差補正素子（６７）が設けられており、前記少なくとも２つの光学的横色収差補正素子のうち少なくとも１つの光学的横色収差補正素子（６７）は、他の光学的横色収差補正素子（６７）に対し相対的に傾斜可能に構成されている、
請求項１または２記載の顕微鏡（１）。
【請求項４】
前記少なくとも２つの光学的横色収差補正素子（６７）のうち少なくとも１つは、実質的に平行平面の透過性プレート（６８）として構成されている、
請求項３記載の顕微鏡（１）。
【請求項５】
前記少なくとも２つの光学的横色収差補正素子（６７）のうちの２つは、実質的に平行平面の透過性プレート（６８）として構成されており、
前記少なくとも２つの前記平行平面の透過性プレート（６８）は、それぞれ異なる屈折率および／または厚さ（６９，７１）を有する、
請求項３または４記載の顕微鏡（１）。
【請求項６】
前記少なくとも２つの光学的横色収差補正素子（６７）は、それぞれ異なる材料分散（３３）を有する、
請求項３から５までのいずれか１項記載の顕微鏡（１）。
【請求項７】
前記少なくとも２つの光学的横色収差補正素子（６７）は、互いに運動を伝達し合うように結合されている、
請求項３から６までのいずれか１項記載の顕微鏡（１）。
【請求項８】
縦色収差補正装置（１２３）が設けられており、
それぞれ異なる前記少なくとも２つの波長（２７ａ，２７ｂ）の前記ビーム路（２３ａ，２３ｂ）は、前記縦色収差補正装置（１２３）の照射側において発散（１１９）または収束（１２１）を互いに有し、前記発散（１１９）または前記収束（１２１）は、前記縦色収差補正装置（１２３）の試料側（８３）における前記少なくとも２つの波長（２７ａ，２７ｂ）の前記ビーム路（２３ａ，２３ｂ）相互間の発散（１１９）または収束（１２１）とは異なる、
請求項１から７までのいずれか１項記載の顕微鏡（１）。
【請求項９】
前記縦色収差補正装置（１２３）は、少なくとも１つの屈折光学素子（１０９）および少なくとも１つの回折光学素子（９５）を有する、
請求項８記載の顕微鏡（１）。
【請求項１０】
前記少なくとも１つの屈折光学素子（１０９）および／または前記少なくとも１つの回折光学素子（９５）は、可変に調整可能な焦点距離（１０３，１０５）を有する、
請求項９記載の顕微鏡（１）。
【請求項１１】
前記少なくとも１つの回折光学素子（９５）は、空間光変調器（１０１）として構成されている、
請求項９または１０記載の顕微鏡（１）。
【請求項１２】
前記少なくとも２つの波長（２７ａ，２７ｂ）の前記ビーム路（２３ａ，２３ｂ）は、前記照射光学系（５）の非近軸周辺領域（８）を延在し、
前記照射光学系（５）の前記試料側（８３）に、前記ビーム路（２３ａ，２３ｂ）を実質的に９０°偏向する少なくとも１つの偏向ミラー（５３）が設けられている、
請求項１から１１までのいずれか１項記載の顕微鏡（１）。
【請求項１３】
顕微鏡（１）、特に光シート顕微鏡（２）または共焦点顕微鏡（３）のための光学的レトロフィットキット（１５０）であって、
前記レトロフィットキット（１５０）は、照射光学系（５）を備え、前記照射光学系（５）は、少なくとも１つの光源（１１）からの少なくとも２つの波長（２７ａ，２７ｂ）の光を、それぞれ波長に依存するビーム路（２３ａ，２３ｂ）に沿って、前記照射光学系（５）の照射側（２９）から前記照射光学系（５）の試料側（８３）へ伝達する光学的レトロフィットキット（１５０）において、
前記レトロフィットキット（１５０）は、少なくとも１つの光学的横色収差補正素子（６７）を備えた横色収差補正装置（６５）を有し、
前記横色収差補正素子（６７）の試料側出口（８４）において、それぞれ異なる前記少なくとも２つの波長（２７ａ，２７ｂ）の前記ビーム路（２３ａ，２３ｂ）は、互いに平行なオフセット（８５）を有し、かつ／または、前記照射側（２９）に対し互いに傾斜を有し、結果として前記照射光学系（５）の前記試料側（８３）において、前記照射光学系（５）の光軸（４１）を横断する方向で前記少なくとも２つの波長（２７ａ，２７ｂ）の焦点（３１ａ，３１ｂ）のオフセット（４３）が生じる、
ことを特徴とする光学的レトロフィットキット（１５０）。
【請求項１４】
前記照射光学系（５）の前記試料側（８３）において前記横色収差補正素子（６７）により引き起こされる、前記照射光学系（５）の前記光軸（４１）を横断する方向における前記少なくとも２つの波長（２７ａ，２７ｂ）の前記焦点（３１ａ，３１ｂ）の前記オフセット（４３）は、実質的に前記照射光学系（５）により引き起こされる、前記照射光学系（５）の前記光軸（４１）を横断する方向における前記焦点（３１ａ，３１ｂ）相互間のオフセット（４３）とは逆方向である、
請求項１３記載の光学的レトロフィットキット（１５０）。
【請求項１５】
縦色収差補正装置（１２３）が設けられており、
それぞれ異なる前記少なくとも２つの波長（２７ａ，２７ｂ）の前記ビーム路（２３ａ，２３ｂ）は、前記縦色収差補正装置（１２３）の照射側において発散（１１９）または収束（１２１）を互いに有し、前記発散（１１９）または前記収束（１２１）は、前記縦色収差補正装置（１２３）の試料側（８３）における前記少なくとも２つの波長（２７ａ，２７ｂ）の前記ビーム路（２３ａ，２３ｂ）相互間の発散（１１９）または収束（１２１）とは異なる、
請求項１３または１４記載の光学的レトロフィットキット（１５０）。
【発明の詳細な説明】
【技術分野】
【０００１】
本発明は、照射光学系を備えた顕微鏡、特に光シート顕微鏡または共焦点顕微鏡に関する。この場合、照射光学系は、少なくとも１つの光源からの少なくとも２つの波長の光を、それぞれ波長に依存するビーム路に沿って、照射光学系の照射側から照射光学系の試料側へ伝達する。本発明はさらに、照射光学系を備えた顕微鏡用の、特に光シート顕微鏡用または共焦点顕微鏡用の、光学的レトロフィットキットに関する。この場合、照射光学系は、少なくとも１つの光源からの少なくとも２つの波長の光を、それぞれ波長に依存するビーム路に沿って、照射光学系の照射側から照射光学系の試料側へ伝達する。
【背景技術】
【０００２】
例えば光シート顕微鏡または共焦点顕微鏡などのような顕微鏡は、従来技術から公知である。これらの顕微鏡に共通しているのは、照射光学系が検査すべき試料全体を照射するのではなく、限られた領域だけしか照射せず、光シート顕微鏡のケースであれば、観察光学系の光軸に沿った方向に限られた領域だけしか照射しない、ということである。よって、光シート顕微鏡を用いて検査される試料の照射領域は、実質的に二次元の構造を有する。共焦点顕微鏡における照射領域は実質的にゼロ次元であり、そのサイズは照射波長の、回折に制限される最小焦点直径のオーダにある。モデルではこれらは点状とされる。
【０００３】
観察光学系の光軸に沿って制限された少なくとも１つの照射領域が有する利点とは、観察光学系によって供給される試料の画像情報が実質的に、照射された制限された試料の体積領域の画像情報から合成される、ということである。換言すれば、照射光学系により照射される各画素もしくは各平面だけが、画像形成に寄与する。
【０００４】
従来技術による特定の種類の顕微鏡の場合には、照射光学系の周辺領域を介して照射が行われる。その結果、照射の品質ひいては試料の結像品質も改善すべき点が多い。
【発明の概要】
【発明が解決しようとする課題】
【０００５】
よって、本発明の課題は、照射品質も結像品質も改善された顕微鏡もしくは光学的レトロフィットキットを提供することである。特に、照射光学系の周辺領域を通して照射が行われる場合であっても、改善された品質を達成することが望ましい。
【課題を解決するための手段】
【０００６】
冒頭で述べた顕微鏡および冒頭で述べた光学的レトロフィットキットは、上述の課題をそれぞれ以下のことにより解決する。すなわち、顕微鏡もしくは光学的レトロフィットキットは、少なくとも１つの光学的横色収差補正素子を備えた横色収差補正装置を有し、横色収差補正素子の試料側出口において、それぞれ異なる少なくとも２つの波長のビーム路が、互いに平行なオフセットを有し、かつ／または照射側に対し互いに傾斜を有し、結果として照射光学系の試料側において、照射光学系の光軸を横断する方向で少なくとも２つの波長の焦点のオフセットが生じる。
【０００７】
オフセットをレンズによって傾斜に変換可能であり、同様に傾斜をレンズによってオフセットに変換可能である。
【０００８】
本発明による顕微鏡および本発明による光学的レトロフィットキットが有する利点とは、照射光学系の試料側において横色収差補正装置により形成された焦点のオフセットによって、顕微鏡の照射品質も結像品質も改善される、ということである。この利点は、照射光学系の周辺領域を通して照射が行われる場合であっても達成される。
【０００９】
顕微鏡のマルチスペクトル動作によって、すなわち同時に複数の波長において、照射光学系内で複数の伝達光学系が用いられると、色の結像エラー（収差とも呼ばれる）が引き起こされる可能性があり、これによって検査すべき試料の結像の品質が著しく低下するおそれがある、ということが判明した。
【００１０】
誘電体材料の分散すなわちそれらの材料の波長に依存する屈折率によって、それぞれ異なる波長の同軸に延在する光ビームは、表面に対し９０°とは異なる角度で誘電体材料へ入射（および／または出射）するときに、それぞれ異なる強さで屈折させられ、このことによって、例えばレンズなどのような屈折光学素子において色収差が引き起こされる。
【００１１】
色収差には、横方向色収差いわゆる横色収差と、軸線方向色収差いわゆる縦色収差と、が含まれる。これら双方は、特にレンズの焦点もしくはフォーカスにおいて現れる。
【００１２】
軸線方向色収差によって、それぞれ異なる波長の焦点が光軸に対し平行に延在する方向に沿って、互いにずらされるようになる。
【００１３】
横方向色収差によって、それぞれ異なる波長の焦点が光軸に対し垂直に延在する方向で、互いにずらされるようになる。したがってそれぞれ異なる波長の焦点は、レンズへ同軸で入射するときに、レンズの光軸までそれぞれ異なる距離のところにある。色収差のこのような形態は、マルチスペクトル光ビームが光学素子を斜めに、もしくは周辺領域において貫通するときに、特にはっきりと現れる。
【００１４】
共焦点顕微鏡または光シート顕微鏡において試料を照射するために、それぞれ異なる少なくとも２つの波長を有する光を使用する場合には、そのことによって、それぞれ異なる波長が試料における同じ領域には照射されず、照射品質および結像品質が低下してしまうことになる。
【００１５】
特に横色収差は、光シート顕微鏡における結像品質を著しく低下させる可能性があり、その理由は、それぞれ異なる２つ波長により照射した場合、観察光学系の光軸に沿って互いにずらされたシート状の２つの領域が照射されるからである。ただし観察光学系は、ただ１つの平面に向けてしか鮮明にセットできないので、その結果、第２のシート状の照射平面は不鮮明に結像されることになる。
【００１６】
本発明による顕微鏡もしくは本発明による光学的レトロフィットキットは、色収差により引き起こされる結像品質の低下にそれぞれ対処する。
【００１７】
以下では、本発明のさらに別のそれぞれそれ自体が有利な実施形態について説明する。それらの実施形態の技術的特徴を任意に組み合わせることができ、もしくは省略することができ、ただしこれは、省略される技術的特徴により達成される技術的効果が重要でない場合に限る。
【００１８】
本発明による顕微鏡の１つの実施形態によれば、照射光学系の試料側において横色収差補正装置により引き起こされる、照射光学系の光軸を横断する方向における少なくとも２つの波長の焦点のオフセットは、実質的に照射光学系により引き起こされる、照射光学系の光軸を横断する方向における焦点相互間のオフセットとは逆方向である。この実施形態は、横色収差を低減もしくは完全に相殺することができる、という利点を有する。
【００１９】
さらに別の実施形態によれば、横色収差補正装置を、光軸または伝播方向を中心に回転可能とすることができる。このようにすれば、光軸に対し垂直に位置するいずれの軸に沿った横色収差も相殺することができる。
【００２０】
照射光学系は、複数の伝達光学素子および／またはビーム推移を偏向する素子を含むことができる。照射光学系の照射側は、光源の光を伝達する光導波体を接続可能な光学的入口を有することができる。同様に、照射光学系の照射側に光源を設けることもできる。
【００２１】
素子、光学系または装置の照射側とは、光源の方向を指す側のことである。これと同様に素子、光学系または装置の試料側とは、照射すべき試料の方向を指す側のことである。折り返された光学的構造において方向を考察する場合には、１つの素子の一方の側が必ず試料側または照射側を指すようにこの構造が展開されたものとみなすことができる。
【００２２】
横色収差補正装置を、照射光学系の試料側もしくは照射側に配置することができるが、あるいは照射光学系内に、つまり例えば照射光学系の２つの光学素子の間に、ポジショニングすることができる。
【００２３】
横色収差補正装置を、照射側入口と試料側出口とを備えユニットとして組み込み可能な別個のアセンブリとして構成することができ、この場合、横色収差補正装置は少なくとも２つのそれぞれ異なる波長のビーム路を、この横色収差補正装置の試料側出口で互いにずらし、かつ／または互いに傾斜させる。オフセットおよび／または傾斜は、それぞれ異なる少なくとも２つの波長のビーム路の相対オフセットおよび／または相対傾斜であり、つまり試料側出口において、少なくとも２つの波長のビーム路間で絶対的なオフセットおよび／または傾斜は形成されない。相対オフセットおよび／または相対傾斜を、少なくとも２つの波長のビーム路の場合によってはすでに存在しているオフセットおよび／または傾斜に加えることができる。
【００２４】
横色収差補正装置はさらに、２つのビーム路相互間のオフセットから傾斜を生じさせる、もしくは２つのビーム路相互間の傾斜からオフセットを生じさせるレンズを含むことができる。したがって横色収差補正装置の試料側出口において結果として生じる、それぞれ異なる少なくとも２つの波長のビーム路のオフセットを、ビーム路相互間のおよび後続のレンズの傾斜によって、形成することができる。
【００２５】
２つのビーム路相互間のオフセットもしくは傾斜は、それぞれビーム路相互間の相対的変化のことであると理解されたい。顕微鏡はさらに、傾斜可能なスキャン素子特にスキャンミラーを有することができ、これを少なくとも２つの波長のビーム路を共通に偏向するために用いることができ、このように偏向しても、少なくとも２つの波長のビーム路の相対オフセットもしくは相対傾斜は変化しないまま維持される。
【００２６】
光シート顕微鏡の場合、いわゆる仮想光シート（Virtual lightsheet）を生成するためにスキャンミラーを使用することができる。観察すべき試料において形成される一次元の集束領域を、スキャンミラーによって移動させることができ、そのようにすることで仮想光シートを、試料の観察方向に対し垂直な１つの平面内にシーケンシャルに形成することができる。さらに複数のスキャンミラーから成るシステムを設けることができ、このシステムによって、仮想光シートを観察方向に沿ってシフトさせることができ、それによってコンピュータ支援された試料の三次元表示を生成することができる。
【００２７】
照射光学系は横色収差を有する可能性があるので、照射光学系の試料側において少なくとも２つの波長の焦点が、照射光学系の光軸までそれぞれ異なる距離のところに形成されることになる。横色収差補正装置は、少なくとも２つの波長の焦点のこのような相対オフセットに対処する。特に好ましくは、横色収差補正装置は、照射光学系によるビーム路のオフセットに対し、照射光学系によるこのオフセットが相殺されるように対処する。相殺とは、横色収差補正装置を用いて少なくとも２つの波長の焦点を、これらの焦点が照射光学系の試料側において照射光学系の光軸まで実質的に等しい距離のところに存在するように互いにずらすことである、と理解されたい。複数の横色収差補正装置をカスケード接続することによって、横色収差を３つ以上の波長に対し互いに依存せずに補正することができる。
【００２８】
横色収差補正装置を特に、拡開されたビームウェストの領域に配置することができ、つまり発散もしくは収束の僅かな１つもしくは複数のビーム路の区間に配置することができる。
【００２９】
本発明による顕微鏡の１つの可能な実施形態によれば、横色収差補正装置は高分散薄膜フィルタを含む。これにより得られる利点とは、横色収差補正装置を構築するスペースを節約できることである。
【００３０】
かかるフィルタは例えば、それぞれ異なる屈折率の誘電体材料の周期構造を含むことができ、これを例えばいわゆるチャープ構造（チャープミラーを参照）または共振器構造の形態で存在させることができる。
【００３１】
顕微鏡の１つの実施形態によれば、横色収差補正装置は少なくとも１つの光学素子を含むことができ、この光学素子の試料側において、少なくとも２つの波長のビーム路を照射側に対し互いに傾斜させることができる。
【００３２】
かかる光学素子は例えばプリズムおよび／または格子であり、この場合、これらの光学素子により形成される角度分散が、すなわち少なくとも２つの波長相互間の個々の波長に依存する角度が、奇数の光学素子を有する結像光学系によって、少なくとも２つの波長のビーム路のオフセットに変換される。
【００３３】
この実施形態によればさらに、偏向素子例えば偏向プリズムおよび／または偏向ミラーを設けることができ、これらを用いることで、角度分散が加えられた波長を平均して再び本来の伝播方向に戻すことができる。
【００３４】
偏向ミラーを用いた、もしくは少なくとも１つの偏向ミラーおよび偏向プリズムを用いた光学偏向装置のこの種の構造を、高分散薄膜フィルタを備えた横色収差補正装置のためにも用いることができる。よって、フィルタのケースにおいて、側方で互いにずらされた両方の波長のビーム路を、平均して再び本来の伝播方向に偏向することができる。
【００３５】
本発明による顕微鏡のさらに別の実施形態によれば、少なくとも２つの光学的横色収差補正素子が設けられており、これらのうち少なくとも１つの光学的横色収差補正素子は、他の光学的横色収差補正素子に対し相対的に傾斜可能に構成されている。光学的横色収差補正素子の少なくとも１つを傾斜可能に配置することにより得られる利点とは、少なくとも２つの波長のビーム路のオフセットを調整できる、ということである。
【００３６】
少なくとも２つの光学的横色収差補正素子を、好ましくは伝動式に駆動することができる。同様に、２つの高分散薄膜フィルタを設けることもできる。
【００３７】
横色収差補正素子は好ましくは１つの軸を中心に回転可能に支承されており、この場合、軸を好ましくは光シートに対し平行に配向することができ、かつ／または照射光学系の光軸と横色収差の方向とにより規定される平面に対し垂直に位置させることができる。
【００３８】
本発明による顕微鏡のさらに別の実施形態によれば、少なくとも２つの光学的横色収差補正素子のうちの少なくとも１つは、実質的に平行平面の透過性プレートとして構成されている。
【００３９】
好ましくは両方の横色収差補正素子を、それぞれ平行平面の透過性プレートとして構成することができる。実質的に平行平面のプレートにより得られる利点とは、このプレートによって、それぞれ異なる波長の光が垂直に入射していないときに、それぞれ異なるスペクトル成分を互いにずらすことができ、その際にすべての波長成分に対し平行平面のプレートによって共通のオフセットが加えられる、ということである。「実質的に平行平面の」とは、透過性プレートがごく僅かな楔（いわゆる楔型光学素子）しか有し得ない、ということである。これにより得られる利点とは、フェブリーペロー効果を回避できる、ということである。僅かな楔しか有さない光学素子を、本明細書においてはやはり平行平面であるとみなすることができる。
【００４０】
本発明による顕微鏡のさらに別の実施形態によれば、少なくとも２つの光学的横色収差補正素子のうちの２つが、実質的に平行平面の透過性プレートとして構成されており、この場合、少なくとも２つの平行平面の透過性プレートは、それぞれ異なる屈折率および／または厚さを有する。これら両方のプレートがそれぞれ異なる屈折率および／または厚さで構成されているならば、少なくとも２つの波長のビーム路の共通のビームオフセットを相殺することができ、ただしこのことは、少なくとも２つの波長のビーム路の相対オフセットを同様に相殺することなく行われる。
【００４１】
それぞれ異なる屈折率および／または厚さの２つの平行平面の透過性プレートを、それぞれ異なる角度でビーム路に対し配向することができ、特に一方のプレートを数学的に正の方向の向きで（反時計回りに）、他方のプレートを数学的に負の方向の向きで（時計回りに）傾斜させることができる。このことによって、本来の伝播方向に対する少なくとも２つの波長のビーム路の絶対的なシフトを相殺することができる。
【００４２】
本来の伝播方向に対するそれぞれ異なる角度によって、少なくとも２つの波長のそれぞれ異なる角度スプリットと、さらにそれぞれ異なるオフセットと、が形成され、これは平行平面プレートをいっそう僅かな角度スプリットといっそう僅かなオフセットでいっそう厚く構成することによって補償される。
【００４３】
本発明による顕微鏡のさらに別の実施形態によれば、少なくとも２つの光学的横色収差補正素子はそれぞれ異なる材料分散を有する。かかる構成は、それぞれ異なる２つの波長相互間の比較的大きいオフセットが望まれる場合に、特に有利である。
【００４４】
材料分散は、それぞれ異なる２つの波長のスプリットもしくはそれぞれ異なる２つの波長のオフセットを、互いに調整できるようにするために用いられる材料パラメータである。アッベ数が小さい高分散材料（例えばフリントガラス）を、少なくとも２つの波長のビーム路相互間の相対オフセットのために適用することができるのに対し、クラウンガラスのようにアッベ数が大きい低分散材料を、両方の波長の共通のビームオフセットを相殺するために用いることができ、ただしこの場合、少なくとも２つの波長相互間のビーム路の相対オフセットが完全に相殺されることはない。
【００４５】
例えばクラウンガラスとフリントガラスは類似した屈折率を有するので、これら両方の材料から成る２つの平行平面プレートは、それぞれ異なる両方の波長の同等の絶対オフセットを形成するのに対し、いっそう高分散のフリントガラスは、少なくとも２つの波長のビーム路相互間のいっそう大きい相対オフセットを形成する。
【００４６】
いっそう小さい分散を有する平行平面プレートを、本来の伝播方向に対しいっそう小さい角度でビーム路中に配置し、かつこのプレートの厚さを、いっそう大きい材料分散を有する平行平面プレートよりも厚くすれば、少なくとも２つの波長のビーム路相互間の相対オフセットをさらに大きくすることができる。
【００４７】
本発明による顕微鏡のさらに別の実施形態によれば、少なくとも２つの光学的横色収差補正素子は、互いに運動を伝達し合うように結合されている。これにより得られる利点とは、少なくとも２つの波長のビーム路相互間の相対オフセットを可変に調整でき、かつこれと同時に少なくとも２つの光学的横色収差補正素子を運動伝達を伴うように結合することにより、本来の伝播方向に対するビーム路の変化した絶対オフセットを相殺できる、ということである。
【００４８】
第１の光学的横色収差補正素子を通過後の少なくとも２つの波長のビーム路の相対オフセットは、光の本来の伝播方向に対する照射側の横色収差補正素子の角度に依存する。角度が大きくなると、少なくとも２つの波長のビーム路の相対オフセットが大きくなるけれども、本来の伝播方向に対するビーム路の絶対オフセットも大きくなる。試料側の光学的横色収差補正素子の運動伝達を伴う結合を、この補正素子が本来の伝播方向に対するビーム路の変化した絶対オフセットを実質的に補償するように構成することができる。
【００４９】
少なくとも２つの光学的横色収差補正素子を機械的に、例えば伝動装置によって、運動伝達を伴うように結合することができる。運動伝達を伴う結合を電気的に行うこともでき、例えば２つの電動モータ特にステッピングモータを用いて行うこともできる。
【００５０】
運動伝達を伴うこの種の結合を、高分散薄膜フィルタを備えた、もしくは少なくとも２つの波長のビーム路を互いに傾斜させる光学素子例えばプリズムまたは格子などを備えた顕微鏡の上述の実施形態においても、適用することができる。
【００５１】
少なくとも２つの波長を互いに傾斜させる素子を、個別にかつ／または相互に伝播方向に沿ってシフト可能である。プリズムをさらに挿入方向に沿ってまたは挿入方向とは逆方向にシフト可能であり、この場合、挿入方向はプリズム基部から先端部を指す。
【００５２】
このようにすることで横色収差補正装置を、少なくとも２つの波長のビーム路に取り込むことができる装置として構成することができる。これによれば横色収差補正装置の試料側出口では、少なくとも２つの波長のビーム路相互間の相対オフセットだけが発生し、ただし本来の伝播方向に対するビーム路の絶対オフセットは発生しない。
【００５３】
本発明による顕微鏡のさらに別の実施形態によれば、縦色収差補正装置が設けられており、この場合、それぞれ異なる少なくとも２つの波長のビーム路は、縦色収差補正装置の照射側において発散または収束を互いに有し、この発散または収束は、縦色収差補正装置の試料側における少なくとも２つの波長のビーム路相互間の発散または収束とは異なる。これにより得られる利点とは、少なくとも２つの波長の集束位置相互間の相対的なシフトを照射光学系の光軸に沿って行えることである。
【００５４】
少なくとも２つの波長の焦点を、照射光学系の光軸に沿ってもしくは光軸とは逆方向にシフトすることを、例えば両方の焦点を互いにオーバラップした状態にするために用いることができ、このようにした結果、オーバラップした焦点により規定される１つの領域を、同時に両方の波長によって照射することができるようになる。
【００５５】
縦色収差補正装置を特に単独で設けることができ、つまり顕微鏡内に横色収差補正装置を伴わずに設けることができる。
【００５６】
顕微鏡の照射光学系は縦色収差を有する可能性があり、この場合、縦色収差補正装置によって、縦色収差により照射光学系の試料側に発生するそれぞれ異なる波長の焦点のシフトを、互いに相対的に光軸に沿ってもしくは光軸とは逆方向に付加的にかつ所期のようにシフトすることができ、それらの焦点を例えば重なり合った状態にすることができる。さらに照射光学系の試料側に、横色収差が発生する可能性がある。
【００５７】
特に有利になり得るのは、少なくとも２つの波長のビーム路の発散もしくは収束を、縦色収差補正装置によって互いに相対的に以下のように変化させることである。すなわちこの変化により、照射光学系の試料側において少なくとも２つの波長の焦点を、照射光学系の光軸においてもしくは光軸とは逆方向で重なり合うようにするのである。
【００５８】
本発明による顕微鏡のさらに別の実施形態によれば、縦色収差補正装置は、少なくとも１つの屈折光学素子と少なくとも１つの回折光学素子とを有する。
【００５９】
屈折光学素子を、例えば球面レンズとして構成することができる。回折光学素子はＤＯＥとも呼ばれるが、この回折光学素子を、マイクロ構造を備えた実質的に平坦な光学素子として構成することができる。マイクロ構造はＤＯＥ上のポジションに応じて、伝達する光に対しそれぞれ異なる光学的経路長を有するので、ＤＯＥを通過した部分ビームは位相変調されており、ＤＯＥによって光の強め合う干渉または弱め合う干渉が引き起こされる。
【００６０】
通常の分散を有する球面レンズは、短波長光に対し長波長光よりも短い焦点距離を有するのに対し、回折動作をするレンズに関する焦点距離の関係は逆である。
【００６１】
従来技術において縦色収差を補正する目的で、少なくとも２つの波長のビーム路の発散もしくは収束において望ましい相違を、慣用のレンズを用いて達成するためには、一般に両方の色にいっそう強い発散もしくは収束を加えなければならない。
【００６２】
本発明によれば、少なくとも２つの波長のビーム路の収束もしくは発散の相対的な変化を、それらのビーム路において強い絶対的な発散もしくは収束を加える必要なく、達成することができる。
【００６３】
特に縦色収差補正装置は照射側と試料側とにおいて、少なくとも２つの波長のビーム路の実質的に同一の絶対的な収束もしくは発散を有することができるのに対し、それぞれ異なる少なくとも２つの波長のビーム路は、縦色収差補正装置の試料側においては、発散または収束の相対的な変化を互いに有することができる。
【００６４】
本発明による顕微鏡のさらに別の実施形態によれば、少なくとも１つの屈折光学素子および／または少なくとも１つの回折光学素子は、可変に調整可能な焦点距離を有する。これにより得られる利点とは、少なくとも２つの波長のビーム路の焦点の絶対的な位置も、少なくとも２つの波長のビーム路の焦点相互間の相対的な位置も調整可能なことである。
【００６５】
その際に好ましくは、屈折光学素子も回折光学素子も可変に調整可能とすることができる。これによって、２つの波長から成る種々の組み合わせに対する縦色収差の補正を、実効焦点距離すなわち例えば光シートの位置を変えることなく、実現することができるようになる。
【００６６】
本発明による顕微鏡の各実施形態において、３つ以上の波長に対し縦色収差を相殺できるようにする目的で、複数の縦色収差補正装置をカスケード接続して設けることもできる。縦色収差補正装置のカスケード接続を、横色収差補正装置のカスケード接続に依存することなく、付加的にまたはこれに対する代案として、行うことができる。
【００６７】
屈折光学素子を液体充填レンズとすることができ、このレンズは圧力または圧電素子を介してその焦点距離を変えることができる。
【００６８】
回折光学素子好ましくは調節可能な回折光学素子を、例えば回折モアレレンズ、回折液晶レンズまたはアルバレス−ローマン（Alvarez-Lohmann）レンズなどのような調節可能な回折レンズとすることができる。
【００６９】
本発明による顕微鏡のさらに別の実施形態によれば、少なくとも１つの回折光学素子は空間光変調器として構成されている。空間光変調器はＳＬＭ（英語ではspatial light modulator）とも呼ばれ、反復性があり再現可能なものとすることができ、数ｍｓ〜１００ｍｓの範囲のスイッチング時間で位相変調された種々のマイクロ構造を生成することができる。
【００７０】
空間光変調器を透過型または反射型として構成することができる。反射型の空間光変調器は、光変調器と反射光学系との間において折り返されたビーム路と比較的長い距離とを必要とするので、好ましくは透過型の空間光変調器が設けられている。
【００７１】
空間光変調器のさらに別の利点は、一般にコンピュータにより生成される回折パターンをこの変調器に加えることができ、照射光学系の試料側において焦点の所望の相対シフトを調整する目的で、それらのパターンに対し例えばコンピュータ支援により簡単に最適化を行うことができる、ということである。比較的緩慢な回折レンズを固定値にセットすることができ、この場合、事前にセットされた望ましい値に対する可変の反射型レンズの偏差を、空間光変調器により提供される可変の回折レンズによって補償することができる。
【００７２】
本発明による顕微鏡のさらに別の実施形態によれば、少なくとも２つの波長のビーム路は照射光学系の非近軸周辺領域を延在し、この場合、照射光学系の試料側に、ビーム路を実質的に９０°偏向する少なくとも１つの偏向ミラーが設けられている。これにより得られる利点とは、照射光学系がそれぞれ異なる少なくとも２つの照射モードを有する、ということである。
【００７３】
顕微鏡は、例えば接眼レンズの形態の観察光学系を有することができ、この接眼レンズは好ましくは照射光学系に対し同軸に配置されている。回折光学系および観察光学系のビーム路を、互いに平行に配向することができる。
【００７４】
照射光学系を検出光学系に対し実質的に同一線上に配置することができ、これによって照射光学系を近軸でも、または共焦点照射のためにも、使用できるようになる。このようにすれば同じ照射光学系を、この照射光学系の非近軸周辺領域と偏向ミラーとを使用することによって、試料を側方から照射するためにも試料を共焦点照射するためにも（透過光顕微鏡法／共焦点顕微鏡法）用いることができる。特に好ましくは、検査領域とは直径方向で対向する位置に配置された２つの偏向ミラーを設けることができる。これによって、試料の２つの側のうちの少なくとも一方からの照射もしくは試料の両側からの照射を実現することができる。
【００７５】
少なくとも２つの波長を照射光学系を通して非近軸で伝達する場合には特に、横色収差補正を光学的横色収差補正素子によって行うことができ、その際にオプションとして光学的縦色補正素子による付加的な縦色収差補正が可能である。横色収差と縦色収差は互いに依存せず、直線的にオーバラップしている。
【００７６】
顕微鏡の１つの実施形態によれば、縦色収差補正装置を、照射光学系の近軸領域のビーム路内にも非近軸領域のビーム路内にも配置させることができるので、側方からの試料照射の場合にも共焦点試料照射の場合にも縦色収差補正を行うことができる。光学的横色収差補正素子を以下のように構成することができる。すなわち、この補正素子は、照射光学系の非近軸周辺領域に延在する少なくとも２つの波長のビーム路内だけに配置されており、したがって側方からの試料照射の場合のみ、光学的横色収差補正装置によって横色収差補正を行うことができるように、構成することができる。
【００７７】
上述のスキャンミラーは、近軸のビーム路も非近軸のビーム路も偏向することができる。
【００７８】
冒頭で述べた顕微鏡用の光学的レトロフィットキットを、ユニットとして組み込み可能な別個のアセンブリとして構成することができ、それぞれ異なる少なくとも２つの波長により顕微鏡において試料を照射する場合に、それぞれ異なる少なくとも２つの波長のビーム路の集束位置を、照射光学系の光軸を横断する方向で互いにシフトする目的で、このキットを顕微鏡に追加装備することができる。
【００７９】
特にこの光学的レトロフィットキットを、このキットのさらに別の実施形態において以下のように構成することができる。すなわち、照射光学系の試料側において横色収差補正素子により引き起こされる、照射光学系の光軸を横断する方向における少なくとも２つの波長の焦点のオフセットは、実質的に照射光学系により引き起こされる、照射光学系の光軸を横断する方向における焦点相互間のオフセットとは逆方向である、ように構成することができる。このようにすることで、既存の顕微鏡の照射光学系の横色収差を補正することができる。
【００８０】
この光学的レトロフィットキットをさらに、以下のように構成することができる。すなわち、このキットを既存の顕微鏡と組み合わせれば、上述の本発明による顕微鏡の１つの実施形態と同一の顕微鏡が得られるように、構成することができる。
【００８１】
したがってこの光学的レトロフィットキットは、高分散薄膜フィルタを含むことができ、少なくとも１つの光学素子を含むことができ、この光学素子の試料側において、少なくとも２つの波長のビーム路が、照射側に対し互いに傾斜させられており、少なくとも２つの光学的横色収差補正素子が設けられており、これらのうち少なくとも１つの光学的横色収差補正素子は、他の横色収差補正素子に対し相対的に傾斜可能に構成されており、少なくとも２つの光学的横色収差補正素子のうち少なくとも１つまたは２つは、実質的に平行平面の透過性プレートとして設けられており、これらのプレートはそれぞれ異なる厚さまたはそれぞれ異なる材料分散を有することができ、かつ／または運動を伝達するようにこれらのプレートを互いに結合することができる。
【００８２】
本発明による光学的レトロフィットキットのさらに別の実施形態によれば、縦色収差補正装置が設けられており、この場合、それぞれ異なる少なくとも２つの波長のビーム路は、縦色収差補正装置の照射側において発散または収束を互いに有し、この発散または収束は、縦色収差補正装置の試料側における少なくとも２つの波長のビーム路相互間の発散または収束とは異なる。既存の顕微鏡の照射光学系が縦色収差を有するならば、光学的レトロフィットキットのこの実施形態によってそのような縦色収差を相殺することができる。
【００８３】
特に光学的レトロフィットキットは、縦色収差補正装置だけを含むことができ、したがって既存の照射光学系の縦色収差だけを補正することができる。
【００８４】
光学的レトロフィットキットの縦色収差補正装置は、本発明による顕微鏡の上述の１つの実施形態と同様に、少なくとも１つの屈折光学素子と少なくとも１つの回折光学素子とを有することができ、この場合、少なくとも１つの屈折光学素子および／または少なくとも１つの回折光学素子は、可変に調整可能な焦点距離を有することができ、その際に少なくとも１つの回折光学素子を、空間光変調器として構成することができる。
【００８５】
換言すれば、既存の顕微鏡にこの光学的レトロフィットキットの実施形態を追加装備することによって、本発明による顕微鏡の上述の１つの実施形態を得ることができる。
【００８６】
次に、添付の図面に基づき本発明についてさらに詳しく説明する。図面には本発明の有利な実施形態が描かれており、それらの技術的特徴は互いに任意に組み合わせられ、かつ／または省略され、ただしこれは省略される技術的特徴によって達成される技術的効果が重要でない場合に限る。理解しやすくするため、同じ技術的特徴および同じ機能を有する技術的特徴には、同じ参照符号が付されている。
【図面の簡単な説明】
【００８７】
【図１】共焦点顕微鏡における縦色収差および横色収差について概略的に示す図である。
【図２】光シート顕微鏡における縦色収差および横色収差について概略的に示す図である。
【図３Ａ】横色収差補正素子の第１の実施形態を示す図である。
【図３Ｂ】横色収差補正素子の第２の実施形態を示す図である。
【図３Ｃ】横色収差補正素子の第３の実施形態を示す図である。
【図４】ビーム路中に組み込まれた横色収差補正素子を備えた照射光学系を示す図である。
【図５Ａ】回折光学素子における縦色収差を概略的に示す図である。
【図５Ｂ】調節可能な凸レンズを含む回折光学素子における縦色収差を概略的に示す図である。
【図５Ｃ】縦色収差補正装置を第１の補正状態において示す図である。
【図５Ｄ】図５Ｃの縦色収差補正装置を第２の補正状態において示す図である。
【図６Ａ】第３の実施形態の横色収差補正装置の一部を示す図である。
【図６Ｂ】低減された角度分散を有する図６Ａの第３の実施形態の横色収差補正装置の一部を示す図である。
【発明を実施するための形態】
【００８８】
図１には、照射光学系５、レンズ７および別の光学素子９を備えた顕微鏡１、特に共焦点顕微鏡３が概略的に示されている。別の光学素子９は、矩形でシンボリックに表されている。
【００８９】
顕微鏡１はさらに、顕微鏡１の別の実施形態では照射光学系５の一部とすることもできる光源１１と、試料１５ａを載置可能な試料ホルダ１５と、観察光学系１７と、を含み、この観察光学系１７を介して、照射光学系５により照射された試料１５ａを観察することができる。
【００９０】
図１に描かれた共焦点顕微鏡３は、観察用の接眼レンズ１９を備えており、共焦点顕微鏡３の別の実施形態によれば好ましくは、ディジタル画像センサおよびモニタを介した試料１５ａの撮影、処理および表示を行うことができる。
【００９１】
特に図１には、共焦点顕微鏡のシーケンシャルな画像形成または相応に必要とされるラスタ装置および走査装置は示されていない。
【００９２】
拡大図１３には、レンズ７として構成された照射光学系５の屈折光学素子２１が示されている。
【００９３】
レンズ７を通って２つのビーム路２３が延在しており、この場合、それぞれ異なるビーム路２３は短波長ビーム路２３ａと長波長ビーム路２３ｂとを表す。
【００９４】
ビーム路２３は、ビーム束２５の周辺ビームに基づき概略的に表され、実線で表された短波長ビーム路２３ａは、第２の波長２７ｂの長波長放射の波長２７よりも短い第１の波長２７ａの短波長放射のビーム路２３に対応する。この場合、両方の波長２７ａ，２７ｂの絶対波長差は、以下の説明のためにはあまり重要ではなく、以下の考察のためには両方の波長２７ａ，２７ｂの関係だけが必要である。
【００９５】
以下では、短波長光および長波長光ならびに青色光および赤色光という名称が、第１の波長２７ａおよび第２の波長２７ｂの同義語として用いられる。
【００９６】
図１に示されているように、レンズ７の照射側２９では青色光２７ａおよび赤色光２７ｂは実質的に同一のビーム路２３を有する。レンズ７は、図１に示されている顕微鏡１の実施形態の場合には、両凸レンズ７ａとして構成されており、レンズ７に入射する光を集束領域３１に集束させる。集束領域３１は、ビーム束２５の幾何光学の近似の場合のみ焦点である。
【００９７】
レンズ材料３５の材料の１つの材料パラメータを表す材料分散３３に基づき、青色光２７ａは第１の集束領域３１ａに、赤色光２７ｂは第２の集束領域３１ｂに集束される。
【００９８】
以下では、青色集束領域と赤色集束領域という名称は、第１の集束領域３１ａおよび第２の集束領域３１ｂの同義語として用いられる。
【００９９】
照射光学系５の一部であるレンズ７は、直線的にオーバラップした互いに依存しない２つの色収差３７を有する。
【０１００】
横方向色収差とも称する縦色収差３７ａは、光軸４１に沿った、もしくは光軸４１に対し平行な方向に沿った、青色集束領域３１ａと赤色集束領域３１ｂとの間の横方向オフセット３９として現れる。
【０１０１】
横断方向色収差とも称する横色収差３７ｂは、光軸４１に対し垂直な方向における青色集束領域３１ａおよび赤色集束領域３１ｂ相互間の横断方向オフセット４３として表される。
【０１０２】
図示の実施形態によれば、図１に示されている光軸４１に沿って、観察光学系の光軸４１ａも延在している。観察光学系１７は、観察平面４７内に存在する物体だけが観察光学系１７によって鮮明に結像されるように、観察平面４７に合わせて調整される。
【０１０３】
ただし、青色光２７ａと赤色光２７ｂとによってそれぞれ異なる領域３１ａ，３１ｂが照射されるので、図示の観察平面４７では青色集束領域３１ａは点状に照射されるけれども、赤色光２７ｂは青色光２７ａよりも広いライトスポット４９を照射する。
【０１０４】
図２にも顕微鏡１が示されており、この場合、図示された顕微鏡１は光シート顕微鏡２である。
【０１０５】
光シート顕微鏡２も、照射光学系５および観察光学系１７を含む。図１に示した共焦点顕微鏡３との対比において基本的な相違点は、拡大図１３に描かれている。
【０１０６】
拡大図１３には、レンズ７および偏向ミラー５３の形態の偏向素子５１が示されており、これらは照射光学系５の一部である。光シート顕微鏡２の照射光学系５も、複数のレンズ７、複数の別の光学素子９および１つの光源１１を含む。
【０１０７】
さらに光シート顕微鏡２は、照射光学系１７特に顕微鏡対物レンズ１７ａを高い開口数で使用できるように、浸液５７で満たされたシャーレ５５を含む。
【０１０８】
図２に示された光シート顕微鏡２特にその照射光学系５も、縦色収差３７ａと横色収差３７ｂとを有する。
【０１０９】
図示の光シート顕微鏡２の場合、試料１５ａは、光軸４１に対し垂直な方向で照射される。光軸４１は同時に、観察光学系の光軸４１ａでもある。
【０１１０】
図２には、浸液５７中に存在する観察レンズ７ｂが示されている。観察レンズ７ｂは観察平面４７を結像し、図２に示した図面の場合には、観察平面４７は赤色光２７ｂによってのみ適正に照射される一方、青色光２７ａにより照射される別の平面４７ａは、観察方向５９において観察平面４７の後方に位置しており、したがって観察レンズ７ｂによってももはや鮮明に結像することはできない。
【０１１１】
光シート顕微鏡２の場合、縦色収差３７ａによって、照射方向６１に沿ってそれぞれ変化する波長２７の強度のばらつきが引き起こされる。
【０１１２】
図２には、光シート顕微鏡２における定置された照射だけしか示されていない。光シートの形成すなわち二次元照射領域の形成は、図２には示されていない偏向素子（図４参照）を用いて、スキャン軸６３を中心にビーム路２３を傾斜させることによって行われる。
【０１１３】
図３Ａには、横色収差補正装置６５の第１の実施形態が示されており、この装置は実質的に平行平面の透過性プレート６８の形態の２つの光学的横色収差補正素子６７を含む。
【０１１４】
説明の都合上、照射方向６１は、図３Ａに記載されているように延在しているものとする。ただし光路は可逆的であるので、光路が図示の照射方向６１とは逆に照射される場合、図示の横色収差補正装置６５によってまったく同じ技術的効果がもたらされる。
【０１１５】
第１の横色収差補正素子６７ａの厚さ６９は、第２の横色収差補正素子６７ｂの厚さ７１よりも厚い。
【０１１６】
さらに第１の横色収差補正素子６７ａは、本来の伝播方向７５に対し第１の傾斜角７７ａで時計回り７３に傾斜させられている。
【０１１７】
第２の横色収差補正素子６７ｂは、本来の伝播方向７５に対し第２の傾斜角７７ｂで反時計回り７９の回転方向に傾斜させられている。
【０１１８】
図３Ａに示されている横色収差補正装置６５の実施形態においてさらに、青色光２７ａおよび赤色光２７ｂのビーム路２３が、横色収差補正装置６５の照射側２９では同一であり、本来の伝播方向７５を決定していることが示されている。
【０１１９】
第１の横色収差補正素子６７ａは、その材料分散３３ａに基づき角度分散８１を生じさせ、この角度分散８１によって、第１の横色収差補正素子６７ａの試料側８１において、青色光２７ａと赤色光２７ｂとの間の相対オフセット８５が形成される。
【０１２０】
同様に、本来の伝播方向７５に対する両方の波長２７ａ，２７ｂの絶対オフセット８５ａも発生する。絶対オフセット８５ａを求めるための基準点が、図３Ａにおいて青色光２７ａと赤色光２７ｂとの間の中央に定義されている。図３Ａの場合、相対オフセット８５は、絶対オフセット８５ａを基準とすると比較的大きく示されており、縮尺どおりには示されていない。絶対オフセット８５ａは相対オフセット８５よりも大きい。
【０１２１】
第２の横色収差補正素子６７ｂは、本来の伝播方向７５に対し反時計回り７９に傾斜させられているので、このことによって、材料分散３３ｂ（これを材料分散３３ａとは異ならせることができる）に基づき、絶対オフセット８５ａが低減されるようになり、もしくは完全に相殺されるようになる。第２の横色収差補正素子６７ｂの照射側２９において、すなわち第２の横色収差補正素子６７ｂの試料側出口８４では、第２の横色収差補正素子６７ｂの試料側８３に対し、相対オフセット８５ｂだけしか発生していない。
【０１２２】
第２の横色収差補正素子６７ｂが第１の横色収差補正素子６７ａの絶対オフセット８５ａを完全に相殺すると、特に有利である。
【０１２３】
第２の横色収差補正素子６７ｂの試料側８３では、青色光２７ａと赤色光２７ｂとの間において、相対オフセット８５ｂと、ほぼゼロである絶対オフセット８５ａと、が生じる。
【０１２４】
これら両方の横色収差補正素子６７はそれぞれ１つの運動伝達素子１３３を備えており、これは同期ユニット１３５と接続されている。同期ユニット１３５は、第１の横色収差補正素子６７ａの可変の回転を制御し、第２の横色収差補正素子６７ｂの逆方向の回転を同期させる。運動伝達素子１３３は、ステッピングモータ１３３ａとして構成されている。
【０１２５】
横色収差補正装置６５の別の実施形態によれば、例えば伝動装置を用いて同期合わせを行うことができる。
【０１２６】
図３Ｂには、横色収差補正装置６５の第２の実施形態が示されている。この装置は、偏向プリズム８７として構成された偏向素子５１と、高分散薄膜フィルタ８９と、偏向ミラー５３として構成された偏向素子５１と、を含む。
【０１２７】
横色収差補正装置６５の照射側２９において、青色光２７ａおよび赤色光２７ｂは同一のビーム路２３を有する。青色光２７ａおよび赤色光２７ｂのビーム路２３は、互いにずらされているが、これは図面上のことにすぎない。
【０１２８】
偏向プリズム８７は、同軸に延在するこれらのビーム路２３を高分散薄膜フィルタ８９に向けて偏向し、高分散薄膜フィルタ８９は角度分散８１を発生させ、その結果として、高分散薄膜フィルタ８９から出射したときに、青色光２７ａと赤色光２７ｂとの間に相対オフセット８５が形成される。
【０１２９】
高分散薄膜フィルタ８９は分散構造９１（例えば周期構造、チャープ構造または共振器構造）を備えているので、青色光２７ａは高分散薄膜フィルタ８９において、赤色光２７ｂよりも僅かな強さで偏向される。
【０１３０】
偏向ミラー５３によって、ビーム路２３ａおよび２３ｂは偏向プリズム８７の方向へ偏向され、偏向プリズム８７はこれら両方のビーム路２３ａ，２３ｂを、本来の伝播方向７５に対し実質的にセンタリングして、横色収差補正装置６５の試料側８３において送出する。
【０１３１】
したがって横色収差補正装置６５の試料側８３において、絶対オフセット８５ａはほぼゼロとなり、両方のビーム路２３ａおよび２３ｂは、相互間の相対オフセット８５ｂだけを有する。
【０１３２】
図３Ｃには、横色収差補正装置６５の第３の実施形態が示されている。
【０１３３】
この実施形態によれば、２つの横色収差補正素子６７がプリズム１３１として構成されている。
【０１３４】
両方のプリズム１３１は、個々の回転軸１５１ａ，１５１ｂを中心に回転可能であり、かつ／または挿入方向１５７に沿って、もしくは挿入方向１５７とは逆方向に、シフト可能である。挿入方向１５７は、プリズム基部１５９から先端部１６１へ向かって、プリズム１３１の回転には左右されずに延在している。両方のプリズム１３１は、それぞれ異なる挿入方向１５７を有することができる。
【０１３５】
この場合、第１の横色収差補正素子６７ａおよび第２の横色収差補正素子６７ｂは、互いに異なる材料分散３３ａ，３３ｂを有する。好ましくは、材料分散３３ａは材料分散３３ｂよりも大きい。大きい材料分散３３ａを有するプリズム１３１は、第１の波長２７ａおよび第２の波長２７ｂを第１の平均偏向角１５３ａだけ偏向する。第１の波長２７ａと第２の波長２７ｂとの間には、第１の材料分散３３ａに基づき相対スプリット１５５が作り出される。
【０１３６】
材料分散３３ｂが比較的小さいプリズム１３１は、第１の波長２７ａも第２の波長２７ｂも、第２の平均偏向角１５３ｂだけ偏向し、その際にこの偏向によって好ましくは第１の平均偏向角１５３ａによる偏向が相殺され、その結果、発生した第２の伝播方向７５ｂが、第１の伝播方向７５ａに対し側方に平行にシフトされただけとなり、ただしこの第１の伝播方向に７５ａに対し実質的に平行に配向されている。光軸４１ｂ，４１ｃも実質的に平行にシフトされている。
【０１３７】
第１の波長２７ａおよび第２の波長２７ｂがプリズム１３１を通過した後、これらの波長は相互間の相対オフセット８５を有し、かつこれら双方は第１の伝播方向７５ａに対し共通に絶対オフセット８５ａを有する。
【０１３８】
図４には、横色収差補正装置６５が設置された照射光学系５が示されている。
【０１３９】
照射光学系５の照射側２９において、両方のビーム路２３ａ，２３ｂは、同一線上に本来の伝播方向７５に対しセンタリングされて延在しており、集束素子７ｄ（この図ではレンズ７ｄの形態で示されている）によって集束される。この場合、横色収差補正装置６５は、集束素子７ｄと発生する中間集束領域３１ｃとの間に配置されている。横色収差補正装置６５によって、上述のように、青色光２７ａと赤色光２７ｂとの相対オフセット８５が導入される。
【０１４０】
絶対オフセット８５ａは、互いに逆に傾斜させられた両方の横色収差補正素子６７によって実質的に相殺される。横色収差補正素子６７の出射後、両方のビーム路２３ａ，２３ｂはレンズ７ｄを通って延在し、このレンズ７ｄによってこれらのビーム路が互いにいくらか傾斜させられる。
【０１４１】
図４にはさらに、スキャンミラー９３として構成された偏向ミラー５３が示されており、この偏向ミラー５３は、図平面から手前に延びるスキャン軸６３を中心に、かつスキャンミラー９３内に位置するスキャン軸６３ａを中心に、傾斜可能である。スキャンミラー９３およびその傾斜によって、図平面から手前に延びる方向に沿って、もしくは図平面内に位置し本来の伝播方向７５に対し垂直に延在する方向に沿って、集束領域３１の位置を変化させることができる。
【０１４２】
スキャンミラー９３および後続のレンズ７により偏向される照射方向６１で、ビーム路２３ａ，２３ｂは既述のレンズ７を通過させられ、波長に依存する集束領域３１において集束される。
【０１４３】
この照射光学系５は横色収差補正装置６５だけしか備えていないので、青色光２７ａは光軸４１まで赤色光２７ｂと同じ距離のところに集束される。存在する縦色収差３７ａは横色収差（図示せず）の補正とは無関係であり、この理由から引き続き発生する。
【０１４４】
さらに図４には、照射光学系５のレンズ７がビーム路２３ａ，２３ｂを、非近軸周辺領域８において対応するレンズ７中を通過させることが示されている。
【０１４５】
図５Ａには回折光学素子９５が示されており、この素子は回折光学レンズ９７特に調節可能な回折レンズ９９として構成されており、これを例えば空間光変調器１０１によって形成することができる。
【０１４６】
互いに同軸に延在する両方のビーム路２３ａ，２３ｂが、調節可能な回折レンズ９９に当射すると、ビーム路２３ａ，２３ｂは調節可能な回折レンズ９９のセッティングに応じて集束される。
【０１４７】
回折光学素子９５は回折効果に基づくものであるので、青色光２７ａの焦点距離１０３は赤色光２７ｂの焦点距離１０５よりも短くなる。これらの焦点距離１０３，１０５は、回折光学素子９５の主平面１０７から対応する集束領域３１ａ，３１ｂまで測定される。
【０１４８】
図５Ｂには屈折光学素子１０９が示されており、これは調節可能なレンズシステム１１１として構成されている。調節可能なレンズシステム１１１は、凹レンズ７ｃと調節可能な凸レンズ１１３とを含む。
【０１４９】
調節可能なレンズシステム１１１は、図５Ｂに示されたセッティングは凹レンズ７ｃの作用を有し、つまり同軸に延在するビーム路２３ａおよび２３ｂは集束されず、したがって仮想青色集束領域１１５（青色光２７ａの仮想焦点）および仮想赤色集束領域１１７（赤色光２７ｂの仮想焦点）が生じるようになる。
【０１５０】
青色光２７ａは負の焦点距離１０５を有し、赤色光２７ｂは負の焦点距離１０３を有し、ただし図示の屈折光学素子１０９の場合、青色光の焦点距離１０５の絶対値は、赤色光の焦点距離１０３の絶対値よりも小さい。
【０１５１】
図５Ａの回折光学素子９５も図５Ｂの屈折光学素子１０９も、関与するビーム路２３ａ，２３ｂの収束１１９（図５Ａ）もしくは発散１２１（図５Ｂ）を、両方のビーム路２３ａ，２３ｂに共通にかつ波長に応じて、互いに相対的に変化させる。
【０１５２】
図５Ｃには縦色収差補正装置１２３が示されており、この装置１２３は、図５Ａの調節可能な回折レンズ９９と図５Ｂの調節可能なレンズシステム１１１とを含む。
【０１５３】
縦色収差補正装置１２３は、第１のセッティング１２５で示されている。この第１のセッティング１２５の場合、調節可能なレンズシステム１１１によって形成される発散１２１が、調節可能な回折レンズ９９によって形成される収束によって実質的に相殺される。したがって縦色収差補正装置１２３は、著しく長い焦点距離（これは数メートルの範囲で可動である）を有する。換言すれば、縦色収差補正装置１２３は、伝達されるビーム路２３ａ，２３ｂのコリメーションを実質的に維持する。
【０１５４】
したがって、調節可能な回折レンズ９９の正の焦点距離と、調節可能なレンズシステム１１１の絶対値は等しいが負の焦点距離と、のペアによっても、ビーム路２３ａ，２３ｂの絶対収束１１９もしくは絶対発散１２１は変化しない。
【０１５５】
ただし、互いに相殺される焦点距離（＋５０ｍｍ／−５０ｍｍ、＋１００ｍｍ／−１００ｍｍ等）の種々のペアによって、青色ビーム路２３ａと赤色ビーム路２３ｂとの間に相対的な収束差もしくは発散差１２７を生じさせることができる。
【０１５６】
図５Ｄには、縦色収差補正装置１２３が第２のセッティング１２９で示されている。第２のセッティング１２９の場合にも、縦色収差補正装置１２３に入射するビーム路２３ａ，２３ｂの絶対収束１１９もしくは絶対発散１２１は変化せず、実質的にゼロに維持される。
【０１５７】
ただし縦色収差補正装置１２３は、図５Ｃの第１のセッティングの相対的な収束差もしくは発散差１２７とは異なる相対的な収束差もしくは発散差１２７を有する。
【０１５８】
第１のセッティング（図５Ｃ）の場合、青色光２７ａは実質的にコリメートされて延在しているのに対し、赤色光２７ｂは収束１２１を有する。
【０１５９】
第２のセッティング１２９の場合、赤色光２７ｂは実質的にコリメートされて延在しているのに対し、青色光２７ａは収束１２１を有する。
【０１６０】
図６Ａおよび図６Ｂには、横色収差補正装置６５の第２および第３の実施形態が示されており、両方の実施形態において、角度分散８１を生じさせるためにプリズム１３１が用いられる。
【０１６１】
角度分散８１は、上述の記載において平行平面プレートの例を挙げて説明したように、プリズム１３１の材料分散３３に基づき形成される。
【０１６２】
本来の伝播方向７５を基準としたプリズム１３１の配向に応じて、異なる大きさの角度分散８１を形成することができる。
【０１６３】
図３Ｂに示したように偏向ミラー５３を用いてビーム路２３ａ，２３ｂを本来の伝播方向７５に戻すように偏向するのと同様に、図６Ａおよび図６Ｂでは角度分散８１が加えられたビーム路２３ａおよび２３ｂを、やはり本来の伝播方向に戻すように偏向することができる。このことは図示されていないが、図３Ｂを参照することでここでもそれに倣って実施することができる。
【０１６４】
この場合、ビーム路２３ａ、２３ｂは以下のように偏向される。すなわち、両方のビーム路２３ａ，２３ｂが本来の伝播方向７５に対して実質的にもはや傾斜をもたないようにし、ただし青色ビーム路２３ａと赤色ビーム路２３ｂとの相対的な傾斜は引き続き存在するように、偏向される。
【０１６５】
光学的レトロフィットキット１５０は、図３Ａ、図３Ｂ、図６Ａおよび図６Ｂに示した横色収差補正装置６５を含むことができる。
【０１６６】
同様に、図５Ｃおよび図５Ｄに示した縦色収差補正装置１２３を、光学的レトロフィットキット１５０の一部とすることができる。
【符号の説明】
【０１６７】
１  顕微鏡
２  光シート顕微鏡
３  共焦点顕微鏡
５  照射光学系
７  レンズ
７ａ  両凸レンズ
７ｂ  観察レンズ
７ｃ  凹レンズ
７ｄ  レンズ
８  非近軸周辺領域
９  別の光学素子
１１  光源
１３  拡大図
１５  試料ホルダ
１５ａ  試料
１７  観察光学系
１７ａ  顕微鏡対物レンズ
１９  接眼レンズ
２１  屈折光学素子
２３  ビーム路
２３ａ  短波長ビーム路
２３ｂ  長波長ビーム路
２５  ビーム束
２７  波長
２７ａ  第１の波長
２７ｂ  第２の波長
２９  照射側
３１  集束領域
３１ａ  第１の集束領域
３１ｂ  第２の集束領域
３１ｃ  中間集束領域
３３，３３ａ，３３ｂ  材料分散
３５  レンズ材料
３７  色収差
３７ａ  縦色収差
３７ｂ  横色収差
３９  横方向オフセット
４１  光軸
４１ａ  観察光学系の光軸
４３  横断方向オフセット
４５  中心軸
４７  観察平面
４７ａ  別の平面
４９  ライトスポット
５１  偏向素子
５３  偏向ミラー
５５  シャーレ
５７  浸液
５９  観察方向
６１  照射方向
６３，６３ａ  スキャン軸
６５  横色収差補正装置
６７  横色収差補正素子
６７ａ  第１の横色収差補正素子
６７ｂ  第２の横色収差補正素子
６８  平行平面プレート
６９  厚さ
７１  厚さ
７３  時計回り
７５  本来の伝播方向
７５ａ  第１の伝播方向
７５ｂ  第２の伝播方向
７７ａ  第１の傾斜角
７７ｂ  第２の傾斜角
７９  反時計回りの回転方向
８１  角度分散
８３  試料側
８４  試料側出口
８５，８５ｂ  相対オフセット
８５ａ  絶対オフセット
８７  偏向プリズム
８９  高分散薄膜フィルタ
９１  分散構造
９３  スキャンミラー
９５  回折光学素子
９７  回折光学レンズ
９９  調節可能な回折レンズ
１０１  空間光変調器
１０３  青色光の焦点距離
１０５  赤色光の焦点距離
１０７  主平面
１０９  屈折光学素子
１１１  調節可能なレンズシステム
１１３  調節可能な凸レンズ
１１５  仮想青色集束領域
１１７  仮想赤色集束領域
１１９  発散
１２１  収束
１２３  縦色収差補正装置
１２５  第１のセッティング
１２７  相対的な収束差もしくは発散差
１２９  第２のセッティング
１３１  プリズム
１３３  運動伝達素子
１３３ａ  ステッピングモータ
１３５  同期ユニット
１５０  光学的レトロフィットキット
１５１  回転角
１５３ａ  第１の平均偏向角
１５３ｂ  第２の平均偏向角
１５５  相対スプリット
１５７  挿入方向
１５９  プリズム基部
１６１  先端部
【図１】
2019523456.tif 000003
【図２】
2019523456.tif 000004
【図３Ａ】
2019523456.tif 000005
【図３Ｂ】
2019523456.tif 000006
【図３Ｃ】
2019523456.tif 000007
【図４】
2019523456.tif 000008
【図５Ａ】
2019523456.tif 000009
【図５Ｂ】
2019523456.tif 000010
【図５Ｃ】
2019523456.tif 000011
【図５Ｄ】
2019523456.tif 000012
【図６Ａ】
2019523456.tif 000013
【図６Ｂ】
2019523456.tif 000014
【国際調査報告】
2019523456.tif 000015
2019523456.tif 000016
2019523456.tif 000017
2019523456.tif 000018
2019523456.tif 000019
2019523456.tif 000020
2019523456.tif 000021
2019523456.tif 000022
2019523456.tif 000023
2019523456.tif 000024